(57)【要約】【課題】撮像した画像データを可搬記録メディアに記録する際の画像処理を、撮影意図を反映させて実施できるデジタルカメラを提供する。【解決手段】デジタルカメラ１００は、イメージセンサ１２０で撮像した画像データを可搬記録メディア２００に記録する際、可搬記録メディア２００に貼り付けられている無線タグシール３００内の無線タグ３１０から画像処理パラメータ選択情報を読み出し、その情報に応じて画像データを画像処理する。したがって、撮影意図に合った無線タグシール３００を可搬記録メディア２００に貼り付けておくことにより、イメージセンサ１２０で撮像した画像データを可搬記録メディア２００に記録する際の画像処理を、撮影意図を反映させつつ実施できる。可搬記録メディア２００に貼り付けられている無線タグシール３００の違いによって、表現される画像の色調が異なるので、可搬記録メディア２００を使い分けによって、銀塩フィルムのような色調の違いによる画像表現を行うことができる。【選択図】      図１
2005012687.tif 000002
【特許請求の範囲】
【請求項１】
被写体を撮像することにより得られた画像データを画像処理して可搬記録メディアに記録する画像処理装置であって、
前記可搬記録メディアに取り付けられている無線タグから画像処理パラメータ選択情報を読み出すタグ情報読出部と、
前記タグ情報読出部により読み出した画像処理パラメータ選択情報に応じて前記画像データを画像処理する画像処理部と、を備えた画像処理装置。
【請求項２】
可搬記録メディアから読み出された画像データを画像処理し、または当該画像データ自体は変化させずにプリント処理時のガンマ補正用データを付加してプリンタへ出力する画像処理装置であって、
前記可搬記録メディアに取り付けられている無線タグから画像処理パラメータ選択情報を読み出すタグ情報読出部と、
前記タグ情報読出部により読み出した画像処理パラメータ選択情報に応じて前記画像データを画像処理し、または当該画像処理パラメータ選択情報に応じた前記ガンマ補正用データを前記画像データに付加する画像処理部と、を備えた画像処理装置。
【請求項３】
イメージセンサで被写体を撮像し、得られた画像データを可搬記録メディアに記録するデジタルカメラであって、
前記可搬記録メディアに取り付けられている無線タグから画像処理パラメータ選択情報を読み出すタグ情報読出部と、
前記画像データを前記可搬記録メディアに記録するに際し、前記タグ情報読出部により読み出した画像処理パラメータ選択情報に応じて前記画像データを画像処理する画像処理部と、を備えたデジタルカメラ。
【請求項４】
可搬メディアから画像データを読み出し、当該画像データをプリント処理するプリンタであって、
前記可搬記録媒体に取り付けられている無線タグから画像処理パラメータ選択情報を読み出すタグ情報読出部と、
前記タグ情報読出部により読み出した画像処理パラメータ選択情報に応じて、前記画像データを画像処理する画像処理部と、を備えたプリンタ。
【請求項５】
画像処理パラメータ選択情報が記録されている無線タグと、
前記無線タグを保持して可搬記録メディアに貼り付けられる貼着体と、を備えた無線タグシール。
【発明の詳細な説明】
【０００１】
【発明の属する技術分野】
本発明は、イメージセンサで被写体を撮像することにより得られた画像データを、撮影者の意図した画像表現を実現できるように処理する画像処理技術に属し、より詳細には、画像データを可搬記録媒体に記録するに際して処理する画像処理装置、可搬記録媒体から読み出された画像データをプリントするに際して処理する画像処理装置、等に関する。
【０００２】
【従来の技術】
銀塩フィルムカメラ、デジタルカメラを問わず多くのカメラは、予め用意された複数種類の撮影モードの中から、撮影状況に合った撮影モードを選択して撮影を行えるようになっている。たとえば、夜間撮影モードではスローシンクロ、スポーツモードでは高速シャッタ優先、ポートレートモードでは絞り開放、といった具合に、その時々の状況に応じた最適な撮影条件で手軽に撮影を行うことができる。
【０００３】
これらの撮影モードの選択は、カメラに搭載されている操作子（モード選択ボタンやダイヤルなど）をユーザが操作することによりなされるため、選択できる撮影モードの種類は、カメラに搭載されている操作子の数やその構造（ダイヤルの回転刻み数など）によって制約される。このため、従来のカメラでは、極限られた種類の撮影モードしか選択できなかった。
【０００４】
この種の問題に対処すべく、銀塩フィルムカメラの分野においては、露出制御プログラムを選択するためのバーコードを、カメラのストラップやフィルムパッケージなどに印刷するとともに、カメラにバーコード読み取り機能を持たせておき、撮影状況に応じた露出制御プログラムのバーコードをカメラに読み取らせることにより、適正な露出制御プログラムを使用して撮影を行うことができるようにした技術が知られている。（特許文献１参照）
【０００５】
この従来技術によれば、露出制御プログラムを選択するためのバーコードをカメラとは別の物に付したことにより、カメラに搭載されている操作子の数やその構造によって制約を受けることなく、多種類の撮影モードをカメラに持たせることができる。
また、フィルムパッケージに付されたバーコードをカメラに読み取らせることにより、フィルムの種類によって選択できるプログラムを限定するなどして、それぞれのフィルムの持つ特性を十分に発揮させることができる。
【０００６】
【特許文献１】特開平５−１８８５３１号公報
【０００７】
【発明が解決しようとする課題】
銀塩フィルムカメラは、被写体像を記録媒体であるフィルムに感光させることによって撮影画像を得るため、各種フィルムの特性の違いを利用して、色調の違いによる画像表現を行うことができる。
【０００８】
これに対し、デジタルカメラでは、イメージセンサにより取り込んだ信号をデジタル処理する構成上、撮影により得られた画像データを記録する可搬記録メディアが異なっても、記録される画像データに差異は生じない。すなわち、可搬記録メディアの特性の違いを利用して、色調の違いによる画像表現を行うことはできない。したがって、デジタルカメラが有する撮影モードの違いだけでは表現しきれない色調で画像表現を行うためには、撮像後の画像データに画像処理を施して、色調・階調を調節する必要がある。
【０００９】
この画像処理はパーソナルコンピュータ（以下、パソコンと記す）にインストールされた画像処理プログラムを使用して行われるため、パソコンや画像処理プログラムの操作に不慣れな人にとっては難しい。
【００１０】
また、デジタルカメラに色調・階調を変化させるモードを設けた場合、可搬記録メディアには様々な色調・階調の画像データが混在して記録されることになるため、可搬記録メディアから画像データを読み出してプリント処理する際の色調整が難しくなる。
【００１１】
また、撮像後の画像データに画像処理を施して、撮影意図に合うように色調・階調を調節したとしても、プリント処理する際にプリンタによって自動的に色調調整されてしまうことがあるため、プリント画像が意図するものと異なってしまうことがある。
【００１２】
本発明は、このような従来の技術の問題点に鑑み創案されたものであり、その目的は、以下のとおりである。
第１の目的は、イメージセンサで被写体を撮像することにより得られた画像データを可搬記録メディアに記録する際の画像処理を、可搬記録メディアに取り付けられている無線タグに記録されている情報に基づいて、撮影意図などを反映させつつ実施することができる画像処理装置を提供することにある。
第２の目的は、可搬記録メディアから読み出された画像データをプリンタへ出力する際の画像処理または画像データに付加するガンマ補正用データの選択を、可搬記録メディアに取り付けられている無線タグに記録されている情報に基づいて、撮影意図などを反映させつつ実施することができる画像処理装置を提供することにある。
第３の目的は、イメージセンサで被写体を撮像することにより得られた画像データを可搬記録メディアに記録する際の画像処理を、可搬記録メディアに取り付けられている無線タグに記録されている情報に基づいて、撮影意図などを反映させつつ実施することができるデジタルカメラを提供することにある。
第４の目的は、可搬記録メディアから画像データを読み出してプリント処理する際の画像処理を、可搬記録メディアに取り付けられている無線タグに記録されている情報に基づいて、撮影意図などを反映させつつ実施することができるプリンタを提供することにある。
第５の目的は、画像処理パラメータ選択情報が記録されている無線タグを可搬記録メディアなどに容易に取り付けることができる無線タグシールを提供することにある。
【００１３】
【課題を解決するための手段】
上記目的を達成するために、本発明の画像処理装置は、イメージセンサで被写体を撮像することにより得られた画像データを画像処理して可搬記録メディアに記録する画像処理装置であって、前記可搬記録メディアに取り付けられている無線タグから画像処理パラメータ選択情報を読み出すタグ情報読出部と、前記タグ情報読出部により読み出した画像処理パラメータ選択情報に応じて前記画像データを画像処理する画像処理部と、を備えた。
【００１４】
上記のように構成された画像処理装置は、イメージセンサで被写体を撮像することにより得られた画像データを可搬記録メディアに記録する際、可搬記録メディアに取り付けられている無線タグから画像処理パラメータ選択情報を読み出し、当該画像処理パラメータ選択情報に応じて画像データを画像処理する。
【００１５】
したがって、この画像処理装置によれば、可搬記録メディアに取り付けられている無線タグに、撮影意図などに合わせた画像処理パラメータ選択情報を記録しておくことにより、イメージセンサで被写体を撮像することにより得られた画像データを可搬記録メディアに記録する際の画像処理を、撮影意図などを反映させつつ実施することができる。
【００１６】
また、本発明の画像処理装置は、可搬記録メディアから読み出された画像データを画像処理し、または当該画像データ自体は変化させずにプリント処理時のガンマ補正用データを付加してプリンタへ出力する画像処理装置であって、前記可搬記録メディアに取り付けられている無線タグから画像処理パラメータ選択情報を読み出すタグ情報読出部と、前記タグ情報読出部により読み出した画像処理パラメータ選択情報に応じて前記画像データを処理、または当該画像処理パラメータ選択情報に応じた前記ガンマ補正用データを前記画像データに付加する画像処理部とを備えた。
【００１７】
上記のように構成された画像処理装置は、可搬記録メディアから読み出された画像データをプリンタへ出力する際、可搬記録メディアに取り付けられている無線タグから画像処理パラメータ選択情報を読み出す。そして、読み出した画像処理パラメータ選択情報に応じて画像データを処理、または当該画像処理パラメータ選択情報に応じたガンマ補正用データを画像データに付加する。
【００１８】
したがって、この画像処理装置によれば、可搬記録メディアに取り付けられている無線タグに、撮影意図などに合わせた画像処理パラメータ選択情報を記録しておくことにより、可搬記録メディアから読み出された画像データをプリンタへ出力する際の画像処理または画像データに付加するガンマ補正用データの選択を、撮影意図などを反映させつつ実施することができる。
【００１９】
また、本発明のデジタルカメラは、イメージセンサで被写体を撮像し、得られた画像データを可搬記録メディアに記録するデジタルカメラであって、前記可搬記録メディアに取り付けられている無線タグから画像処理パラメータ選択情報を読み出すタグ情報読出部と、前記画像データを前記可搬記録メディアに記録するに際し、前記タグ情報読出部により読み出した画像処理パラメータ選択情報に応じて前記画像データを画像処理する画像処理部と、を備えた。
【００２０】
上記のように構成されたデジタルカメラは、イメージセンサで被写体を撮像することにより得られた画像データを可搬記録メディアに記録する際、可搬記録メディアに取り付けられている無線タグから画像処理パラメータ選択情報を読み出し、当該画像処理パラメータ選択情報に応じて画像データを画像処理する。
【００２１】
したがって、このデジタルカメラによれば、可搬記録メディアに取り付けられている無線タグに、撮影意図などに合わせた画像処理パラメータ選択情報を記録しておくことにより、イメージセンサで被写体を撮像することにより得られた画像データを可搬記録メディアに記録する際の画像処理を、撮影意図などを反映させつつ実施することができる。
【００２２】
また、本発明のプリンタは、可搬メディアから画像データを読み出し、当該画像データをプリント処理するプリンタであって、前記可搬記録媒体に取り付けられている無線タグから画像処理パラメータ選択情報を読み出すタグ情報読出部と、前記タグ情報読出部により読み出した画像処理パラメータ選択情報に応じて、前記画像データを画像処理する画像処理部と、を備えた。
【００２３】
上記のように構成されたプリンタは、可搬記録メディアから画像データを読み出してプリント処理する際、可搬記録メディアに取り付けられている無線タグから画像処理パラメータ選択情報を読み出す。そして、読み出した画像処理パラメータ選択情報に応じて画像データを画像処理する。
【００２４】
したがって、このプリンタによれば、可搬記録メディアに取り付けられている無線タグに、撮影意図などに合わせた画像処理パラメータ選択情報を記録しておくことにより、可搬記録メディアから読み出された画像データをプリント処理する際の画像処理を、撮影意図などを反映させつつ実施することができる。
【００２５】
また、本発明のプリンタにおいて、前記画像処理部は、前記可搬記録メディアに複数の無線タグが取り付けられている場合には、プリント処理対象画像に応じた無線タグから画像処理パラメータ選択情報を読み出し、その画像処理パラメータ選択情報に応じて画像データを画像処理することが望ましい。
【００２６】
また、本発明の無線タグシールは、画像処理パラメータ選択情報が記録されている無線タグと、前記無線タグを保持して可搬記録メディアに貼り付けられる貼着体と、を備えた。
【００２７】
この無線タグシールによれば、その貼着体を無線タグに貼り付けることにより、画像処理パラメータ選択情報が記録されている無線タグを可搬記録メディアなどに容易に取り付けることができる。
【００２８】
【発明の実施の形態】
以下、本発明の実施の形態について説明する。
【００２９】
［第１の実施の形態］
図１は本発明のデジタルカメラの構成例を示すブロック図である。
デジタルカメラ１００は、光学系１１０、イメージセンサ１２０、信号処理部１３０、システム制御部１４０、内部メモリ１５０、記録メディアインタフェース（Ｉ／Ｆ）部１６０、操作部１７０、表示部１８０、およびタグリーダ部１９０を備えている。
【００３０】
光学系１１０は、レンズや絞りなどで構成され、これらを通して被写体像をイメージセンサ１２０の受光面に結像させる。
【００３１】
イメージセンサ１２０は、その受光面に結像した被写体像に応じた画像信号を信号処理部１３０へ出力する。
【００３２】
信号処理部１３０は、入力された画像信号にガンマ補正処理、白バランス調整処理などのアナログ信号処理を施した後、デジタル画像信号に変換する。そして、フィルタ処理などの所定のデジタル処理を施す。信号処理部１３０からの出力信号は、システム制御部１４０を介して内部メモリ１５０に蓄積される。
【００３３】
内部メモリ１５０に蓄積された画像データは、システム制御部１４０によってＪＰＥＧ方式などの所定の圧縮方式で圧縮された後、記録メディアＩ／Ｆ１６０に送られる。
【００３４】
記録メディアＩ／Ｆ１６０は、システム制御部１４０から出力された画像データを可搬記録メディア２００に記録する。可搬記録メディア２００には、フラッシュメモリを搭載した小型メモリーカード等が用いられる。
【００３５】
可搬記録メディア２００の表面には、本発明にかかる無線タグシール３００が貼り付けられている。無線タグシール３００は、画像処理パラメータ選択情報が記録されている無線タグ３１０と、無線タグ３１０を保持して可搬記録メディア２００に貼り付けられるシール紙（貼着体）３２０とからなる。
【００３６】
操作部１７０には、レリーズスイッチやモード選択ボタンを含む各種操作子が設けられている。レリーズスイッチは、デジタルカメラ１００に撮影開始を指示するための操作子であり、これを半押しすなわち途中まで押すと、図示しないＡＦセンサ部およびＡＥセンサ部による測定が行われ、得られた測定値に基づいて、光学系１１０のフォーカス制御や絞り制御が行われる。そして、深押し（全押し）した時点で撮影すなわち、イメージセンサ１２０および信号処理部１３０による撮像信号の取り込みが行われる。
【００３７】
表示部１８０は、ＬＣＤ（Ｌｉｑｕｉｄ  Ｃｒｙｓｔａｌ  Ｄｉｓｐｌａｙ）などの表示デバイスを備え、撮影中の画像や再生画像を表示する。
【００３８】
図２に示すように、可搬記録メディア２００は、デジタルカメラ１００の記録メディア挿入口１０１に挿入される。記録メディア挿入口１０１の奥に、タグリーダ部１９０が設けられている。タグリーダ部１９０は、アンテナ１９１と、送受信回路１９２とを備えている。アンテナ１９１は指向性を持っており、可搬記録メディア２００に付随してデジタルカメラ１００内に挿入された無線タグ３１０を検知できるようになっている。送受信回路１９２は、アンテナ１９１を使用して、可搬記録メディア２００に貼り付けられている無線タグシール３００内の無線タグ３１０と無線通信する。そして、無線タグ３１０を作動させるための電波を送信するとともに、無線タグ３１０から情報を受信して図１のシステム制御部１４０に出力する。
【００３９】
システム制御部１４０は、図示しないＥＥＰＲＯＭ（Ｅｌｅｃｔｒｉｃａｌｌｙ  Ｅｒａｓａｂｌｅ  Ｐｒｏｇｒａｍｍａｂｌｅ  Ｒａｎｄｏｍ  Ａｃｃｅｓｓ  Ｍｅｍｏｒｙ  ）、ＣＰＵ（Ｃｅｎｔｒａｌ  Ｐｒｏｃｅｓｓｉｎｇ  Ｕｎｉｔ  ）、等を備えて構成され、ＣＰＵがＥＥＰＲＯＭに格納されているプログラムを実行することにより、このデジタルカメラ１００の各種機能を実現する。
【００４０】
システム制御部１４０の制御下で、タグリーダ部１９０は、可搬記録メディア２００に取り付けられている無線タグ３１０から画像処理パラメータ選択情報を読み出すタグ情報読出部として機能する。また、信号処理部１３０とシステム制御部１４０自身は、タグリーダ部１９０により読み出した画像処理パラメータ選択情報に応じて画像データを画像処理する画像処理部として機能する。画像処理パラメータ選択情報は、可搬記録メディア２００に記録する画像データの階調・色調特性を調整するための情報であり、ガンマ補正用パラメータ値やホワイトバランス調整パラメータ値そのものであってもよいし、各種パラメータ値やその組み合わせパターンを指定するためのコードであってもよい。
【００４１】
図３に示すように、無線タグシール３００は、複数枚ずつ台紙３５０に貼り付けてユーザに提供される。図示の例では、１枚の台紙３５０に同じ種類の無線タグシール３００が２枚ずつ４種類分、合計８枚貼り付けられている。各無線タグシール３００のシール紙３２０の表面には、色調や撮影条件（撮影対象、撮影場所、撮影時間帯、等）を表現する図柄（写真を含む）および文字（「白黒」、「新緑」、「海」、「夕暮れ」）が印刷されており、無線タグ３１０には、印刷内容に対応した画像処理パラメータ選択情報が記録されている
【００４２】
ユーザは、撮影意図に合う無線タグシール３００を台紙３５０から剥がして、可搬記録メディア２００に貼り付け、その可搬記録メディア２００をデジタルカメラ１００に装着して撮影を行う。
【００４３】
つぎに、上記のように構成されたデジタルカメラ１００の動作を、図４に示す流れ図に従って説明する。
【００４４】
デジタルカメラ１００は、操作部１７０のレリーズスイッチが半押しされると（Ｓ１でＹｅｓ）、オートフォーカス制御、露出制御、フラッシュ発光準備などの撮影準備（Ｓ２）を実施する。撮影準備（Ｓ２）が完了したら、可搬記録メディア２００に無線タグ３１０が取り付けられているか否かを確認する（Ｓ３）。
【００４５】
無線タグ３１０が取り付けられていなければ（Ｓ３でＮｏ）、予め標準値として設定された既定（デフォルト）のガンマ補正用パラメータ値およびホワイトバランス調整パラメータ値を選択する（Ｓ４）。
【００４６】
無線タグ３１０が取り付けられていたならば（Ｓ３でＹｅｓ）、その無線タグ３１０から画像処理パラメータ選択情報を読み出す（Ｓ５）。複数の無線タグ３１０の存在が確認された場合は（Ｓ６でＹｅｓ）、ステップＳ４に進む。
【００４７】
無線タグ３１０が１つだけの場合は（Ｓ６でＮｏ）、ステップＳ５で読み出した画像処理パラメータ選択情報が、デジタルカメラ１００に登録されている情報であるか否かを確認する（Ｓ７）。その結果、登録されていない情報であれば（Ｓ７でＮｏ）、ステップＳ４に進み、登録されている情報であれば（Ｓ７でＹｅｓ）、ステップＳ５で読み出した画像処理パラメータ選択情報に対応したガンマ補正用パラメータ値およびホワイトバランス調整パラメータ値を選択する（Ｓ８）。
【００４８】
上記のようにして、ガンマ補正用パラメータ値およびホワイトバランス調整パラメータ値を選択した後、レリーズスイッチが深押しされたら（Ｓ９でＹｅｓ）、撮影を実行する（Ｓ１０）。そして、撮影により得られた画像データを、ステップＳ８で選択したガンマ補正用パラメータ値およびホワイトバランス調整パラメータ値を使用して画像処理した後（Ｓ１１）、可搬記録メディア２００に記録する（Ｓ１２）。
【００４９】
上記のように、この実施の形態のデジタルカメラ１００は、イメージセンサ１２０で被写体を撮像することにより得られた画像データを可搬記録メディア２００に記録する際、可搬記録メディア２００に貼り付けられている無線タグシール３００内の無線タグ３１０から画像処理パラメータ選択情報を読み出し、その画像処理パラメータ選択情報に応じて画像データを画像処理する。
【００５０】
したがって、このデジタルカメラ１００によれば、撮影意図などに合った無線タグシール３００を可搬記録メディア２００に貼り付けておくことにより、イメージセンサ１２０で被写体を撮像することにより得られた画像データを可搬記録メディア２００に記録する際の画像処理を、撮影意図などを反映させつつ実施することができる。可搬記録メディア２００に貼り付けられている無線タグシール３００の違いによって、表現される画像の色調が異なるので、可搬記録メディア２００を使い分けることによって、銀塩フィルムのような色調の違いによる画像表現を行うことができる。
【００５１】
［第２の実施の形態］
図５は本発明のプリンタの構成例を示すブロック図である。
プリンタ４００は、記録メディアインタフェース（Ｉ／Ｆ）部４１０、システム制御部４２０、内部メモリ４３０、プリンタ機構部４４０、操作部４５０、表示部４６０、およびタグリーダ部４７０を備えている。
【００５２】
記録メディアＩ／Ｆ４１０は、可搬記録メディア２００から画像データを読み出す。可搬記録メディア２００の表面には、第１の実施の形態と同様、無線タグシール３００が貼り付けられている。可搬記録メディア２００から読み出された画像データは、システム制御部４２０で解凍された後、内部メモリ４３０上に展開される。
【００５３】
システム制御部４２０は、複数種類のガンマ補正用パラメータ値（ガンマテーブル）を保持しており、いずれかのガンマ補正用パラメータ値を使用して、内部メモリ４３０上に展開された画像データに基づく制御信号を生成し、プリンタ機構部４４０に出力する。
【００５４】
プリンタ機構部４４０は、システム制御部４２０からの制御信号に従って、記録紙Ｐ上にＹＭＣＫの４色のドットからなるカラー画像を出力する。
【００５５】
操作部４５０には、スタートボタンや画像選択ボタンなどが設けられている。スタートボタンは、プリンタ４００にプリント処理の開始を指示するための操作子である。画像選択ボタンは、可搬記録メディア２００に記録されている画像の中からユーザが希望の画像を指定するための操作子である。
【００５６】
表示部４６０は、ＬＣＤなどの表示デバイスからなり、プリンタ４００の状態や各種メッセージを表示する。
【００５７】
タグリーダ部４７０は、図２と同様に構成されている。
【００５８】
システム制御部４２０は、図示しないＥＥＰＲＯＭ、ＣＰＵ、等を備えて構成され、ＣＰＵがＥＥＰＲＯＭに格納されているプログラムを実行することにより、このプリンタ４００の各種機能を実現する。
【００５９】
システム制御部４２０の制御下で、タグリーダ部４７０は、可搬記録メディア２００に取り付けられている無線タグ３１０から画像処理パラメータ選択情報を読み出すタグ情報読出部として機能する。また、システム制御部４２０自身は、タグリーダ部４７０により読み出した画像処理パラメータ選択情報に応じて、画像データを画像処理する画像処理部として機能する。画像処理パラメータ選択情報は、プリンタ機構部４４０で記録紙５０１に記録する画像データの階調・色調特性を調整するための情報であり、ガンマ補正用パラメータ値そのものであってもよいし、各種パラメータ値やその組み合わせパターンを指定するためのコードであってもよい。
【００６０】
つぎに、上記のように構成されたプリンタ４００の動作を、図６に示す流れ図に従って説明する。
【００６１】
プリンタ４００は、操作部４５０によりプリント対象画像が選択され、スタートボタンが押圧されると（Ｓ２１でＹｅｓ）、インク残量や用紙チェック、可搬記録メディア２００からの画像データ読み出しなどのプリント準備（Ｓ２２）を実施する。プリント準備準備（Ｓ２２）が完了したら、可搬記録メディア２００に無線タグ３１０が取り付けられているか否かを確認する（Ｓ２３）。
【００６２】
無線タグ３１０が取り付けられていなければ（Ｓ２３でＮｏ）、予め標準値として設定された既定（デフォルト）のガンマ補正用パラメータ値を選択する（Ｓ２４）。
【００６３】
無線タグ３１０が取り付けられていたならば（Ｓ２３でＹｅｓ）、その無線タグ３１０から画像処理パラメータ選択情報を読み出す（Ｓ２５）。複数の無線タグ３１０の存在が確認された場合は（Ｓ２６でＹｅｓ）、ステップＳ２４に進む。
【００６４】
無線タグ３１０が１つだけの場合は（Ｓ２６でＮｏ）、ステップＳ２５で読み出した画像処理パラメータ選択情報が、プリンタ４００に登録されている情報であるか否かを確認する（Ｓ２７）。その結果、登録されていない情報であれば（Ｓ２７でＮｏ）、ステップＳ２４に進み、登録されている情報であれば（Ｓ２７でＹｅｓ）、ステップＳ２５で読み出した画像処理パラメータ選択情報に対応したガンマ補正用パラメータ値を選択する（Ｓ２８）。
【００６５】
上記のようにして選択したガンマ補正用パラメータ値を使用して、内部メモリ４３０上に展開された画像データに基づく制御信号を生成し（Ｓ２９）、プリンタ機構部４４０に出力する。その結果、記録紙Ｐ上に画像がプリントされる（Ｓ３０）。
【００６６】
上記のように、この実施の形態のプリンタ４００は、可搬記録メディア２００から画像データを読み出してプリント処理する際、可搬記録メディア２００に貼り付けられている無線タグシール３００内の無線タグ３１０から画像処理パラメータ選択情報を読み出す。そして、読み出した画像処理パラメータ選択情報に応じて画像データを画像処理する。
【００６７】
したがって、このプリンタ１００によれば、撮影意図などに合った無線タグシール３００を可搬記録メディア２００に貼り付けておくことにより、可搬記録メディア２００から読み出された画像データをプリント処理する際の制御信号の生成（画像処理）を、撮影意図などを反映させつつ実施することができる。
【００６８】
たとえば、「新緑」の無線タグシール３００を可搬記録メディア２００に貼り付けておけば、その可搬記録メディア２００から読み出された画像データに対しては、緑色を鮮やかに表現するようなガンマ補正用パラメータ値を自動的に割り当ててプリント処理がなされる。また、「夕暮れ」の無線タグシール３００を可搬記録メディア２００に貼り付けておけば、その可搬記録メディア２００から読み出された画像データに対しては、赤い部分を強調するようなガンマ補正用パラメータ値を自動的に割り当ててプリント処理がなされる。また、「白黒」の場合は、その可搬記録メディア２００から読み出された画像データに対しては、黒以外のインクを使用しないようにしてプリント処理がなされる。
【００６９】
［第３の実施の形態］
図７は図５に示したプリンタ４００の別の動作例を示す流れ図である。
プリンタ４００は、操作部４５０によりプリント対象画像が選択され、スタートボタンが押圧されると（Ｓ３１でＹｅｓ）、インク残量や用紙チェック、可搬記録メディア２００からの画像データ読み出しなどのプリント準備（Ｓ３２）を実施する。プリント準備（Ｓ３２）が完了したら、可搬記録メディア２００に無線タグ３１０が取り付けられているか否かを確認する（Ｓ３３）。
【００７０】
無線タグ３１０が取り付けられていなければ（Ｓ３３でＮｏ）、予め標準値として設定された既定（デフォルト）のガンマ補正用パラメータ値を選択する（Ｓ３４）。
【００７１】
無線タグ３１０が取り付けられていたならば（Ｓ３３でＹｅｓ）、その無線タグ３１０から画像処理パラメータ選択情報を読み出し（Ｓ３５）、それがプリンタ４００に登録されている情報であるか否かを確認する（Ｓ３６）。その結果、登録されていない情報であれば（Ｓ３６でＮｏ）、ステップＳ３４に進み、登録されている情報であれば（Ｓ３６でＹｅｓ）、可搬記録メディア２００に複数の無線タグ３１０が取り付けられているか否かを確認する（Ｓ３７）。
【００７２】
無線タグ３１０が１つだけの場合は（Ｓ３７でＮｏ）、ステップＳ３５で読み出した画像処理パラメータ選択情報に対応したガンマ補正用パラメータ値を選択する（Ｓ３８）。
【００７３】
複数の無線タグ３１０の存在が確認された場合は（Ｓ３６でＹｅｓ）、プリント対象画像を解析し、その画像に何色の領域が多く含まれているかを調べ（Ｓ３９）、最も多く含まれている領域の色に対応する無線タグ３１０に記録されている画像処理パラメータ選択情報に対応したガンマ補正用パラメータ値を選択する（Ｓ４０）。
【００７４】
上記のようにして選択したガンマ補正用パラメータ値を使用して、内部メモリ４３０上に展開された画像データに基づく制御信号を生成し（Ｓ４１）、プリンタ機構部４４０に出力する。その結果、記録紙Ｐ上に画像がプリントされる（Ｓ４２）。
【００７５】
この実施の形態によれば、可搬記録メディア２００に複数種類の無線タグシール３００を貼り付けておくことにより、プリント対象画像に最も多く含まれている領域の色に対応するガンマ補正用パラメータ値が自動選択されてプリント処理がなされる。
【００７６】
たとえば、「新緑」、「夕暮れ」および「白黒」の無線タグシール３００が可搬記録メディア２００に貼り付けられていて、プリント対象画像が緑色の領域を多く含んでいた場合、「新緑」の無線タグシール３００の無線タグ３１０に記録されている画像処理パラメータ選択情報に対応したガンマ補正用パラメータ値を選択する。同様に、プリント対象画像が赤色の領域を多く含んでいた場合は「夕暮れ」の無線タグシール３００の画像処理パラメータ選択情報に対応したガンマ補正用パラメータ値を選択し、全域にわたって色が薄い場合は「白黒」の無線タグシール３００の画像処理パラメータ選択情報に対応したガンマ補正用パラメータ値を選択する。
【００７７】
また、画像データに付属している情報（タグ情報）などに基づいて、撮影シーンを自動判別し、その結果に応じていずれかの無線タグ３１０に記録されている画像処理パラメータ選択情報に対応したガンマ補正用パラメータ値を選択してもよい。また、撮影シーンを判別し難い場合は、既定のガンマ補正用パラメータ値を選択するようにしてもよい。
【００７８】
［第４の実施の形態］
図８は本発明の画像処理装置をプリンタ操作端末機に適用した場合のシステム構成例を示すブロック図である。
【００７９】
図８に示すシステムは、相互に通信するプリンタ５００とプリンタ操作端末機６００とを備えて構成される。
プリンタ５００は、通信部５１０、システム制御部５２０、内部メモリ５３０、およびプリンタ機構部５４０を備えている。
【００８０】
通信部５１０は、プリンタ操作端末機６００と通信する。そして、プリンタ操作端末機６００からプリント処理対象画像の画像データとガンマ補正用パラメータ値とを受信する。通信部５１０により受信された画像データおよびガンマ補正用パラメータ値はシステム制御部５２０に送られる。
【００８１】
システム制御部５２０は、通信部５１０から受け取った画像データを内部メモリ４３０上に展開するとともに、その画像データに付加されているガンマ補正用パラメータ値を使用して、内部メモリ４３０上に展開した画像データに基づく制御信号を生成し、プリンタ機構部５３０に出力する。
【００８２】
プリンタ機構部５４０は、システム制御部５２０からの制御信号に従って、記録紙Ｐ上にＹＭＣＫの４色のドットからなるカラー画像を出力する。
【００８３】
プリンタ操作端末機６００は、記録メディアインタフェース（Ｉ／Ｆ）部６１０、システム制御部６２０、内部メモリ６３０、通信部６４０、操作部６５０、表示部６６０、およびタグリーダ部６７０を備えている。
【００８４】
記録メディアＩ／Ｆ６１０は、可搬記録メディア２００から画像データを読み出す。可搬記録メディア２００の表面には、第１の実施の形態と同様、無線タグシール３００が貼り付けられている。
可搬記録メディア２００から読み出された画像データは、システム制御部６２０により解凍され、内部メモリ６３０上に展開された後、システム制御部６２０を経て通信部６４０に出力される。
【００８５】
システム制御部６２０は、複数種類のガンマ補正用パラメータ値（ガンマテーブル）を保持している。そして、内部メモリ４３０上に展開した画像データを通信部６４０に出力する際、その画像データにいずれかのガンマ補正用パラメータ値を選択的に付加する。
【００８６】
通信部６４０は、プリンタ５００と通信する。そして、システム制御部６２０から受け取った画像データおよびガンマ補正用パラメータ値をプリンタ５００に送信する。
【００８７】
操作部６５０には、画像選択ボタンやスタートボタンなどが設けられている。画像選択ボタンは、可搬記録メディア２００に記録されている画像の中からプリント処理対象画像を指定するための操作子である。スタートボタンは、プリンタ操作端末機６００にプリント処理の開始を指示するための操作子である。スタートボタンが押圧されると、プリント要求コマンドと共にプリント処理対象画像の画像データおよびガンマ補正用パラメータ値がプリンタ５００に送信される。
【００８８】
表示部６６０は、ＬＣＤなどの表示デバイスからなり、プリンタ５００の状態や各種メッセージを表示する。
【００８９】
タグリーダ部６７０は、図２と同様に構成されている。
【００９０】
システム制御部６２０は、図示しないＥＥＰＲＯＭ、ＣＰＵ、等を備えて構成され、ＣＰＵがＥＥＰＲＯＭに格納されているプログラムを実行することにより、このプリンタ操作端末機６００の各種機能を実現する。
【００９１】
システム制御部６２０の制御下で、タグリーダ部６７０は、可搬記録メディア２００に取り付けられている無線タグ３１０から画像処理パラメータ選択情報を読み出すタグ情報読出部として機能する。また、システム制御部６２０自身は、タグリーダ部６７０により読み出した画像処理パラメータ選択情報に応じたガンマ補正用パラメータ値を画像データに付加する画像処理部として機能する。
【００９２】
つぎに、上記のように構成されたプリンタ操作端末機６００の動作を、図９に示す流れ図に従って説明する。
【００９３】
プリンタ操作端末機６００は、操作部６５０によりプリント対象画像が選択され、スタートボタンが押圧されると（Ｓ５１でＹｅｓ）、可搬記録メディア２００からプリント対象画像の画像データを読み出し（Ｓ５２）、内部メモリ６３０上に展開する（Ｓ５３）。その後、可搬記録メディア２００に無線タグ３１０が取り付けられているか否かを確認する（Ｓ５４）。
【００９４】
無線タグ３１０が取り付けられていなければ（Ｓ５４でＮｏ）、予め標準値として設定された既定（デフォルト）のガンマ補正用パラメータ値を選択する（Ｓ５５）。
【００９５】
無線タグ３１０が取り付けられていたならば（Ｓ５４でＹｅｓ）、その無線タグ３１０から画像処理パラメータ選択情報を読み出す（Ｓ５６）。複数の無線タグ３１０の存在が確認された場合は（Ｓ５７でＹｅｓ）、ステップＳ５４に進む。
【００９６】
無線タグ３１０が１つだけの場合は（Ｓ５７でＮｏ）、ステップＳ５５で読み出した画像処理パラメータ選択情報が、プリンタ操作端末機６００に登録されている情報であるか否かを確認する（Ｓ５８）。その結果、登録されていない情報であれば（Ｓ５８でＮｏ）、ステップＳ５５に進み、登録されている情報であれば（Ｓ５８でＹｅｓ）、ステップＳ５５で読み出した画像処理パラメタ選択情報に対応したガンマ補正用パラメータ値を選択する（Ｓ５９）。
【００９７】
上記のようにして選択したガンマ補正用パラメータ値を、内部メモリ４３０上に展開した画像データに付加して（Ｓ６０）、プリント要求コマンドと共にプリンタ５００に送信する（Ｓ６１）。
【００９８】
上記のように、この実施の形態のプリンタ操作端末機６００は、可搬記録メディア２００から読み出された画像データをプリンタ５００へ送信（出力）する際、可搬記録メディア２００に貼り付けられている無線タグシール３００内の無線タグ３１０から画像処理パラメータ選択情報を読み出す。そして、読み出した画像処理パラメータ選択情報に応じたガンマ補正用パラメータ値を画像データに付加する。
【００９９】
したがって、このプリンタ操作端末機６００によれば、撮影意図などに合った無線タグシール３００を可搬記録メディア２００に貼り付けておくことにより、可搬記録メディア２００から読み出された画像データに付加するガンマ補正用パラメータ値の選択を、撮影意図などを反映させつつ実施することができる。
【０１００】
その結果、プリンタ５００により、撮影意図などに合わせて色調・階調を調整した画像が記録紙Ｐ上にプリントされる。
【０１０１】
なお、上記の例では、プリンタ操作端末機６００からプリンタ５００へ画像データおよびガンマ補正用パラメータ値を受け渡す方法として通信を用いたが、可搬記録メディア２００を介して受け渡すようにしてもよい。
【０１０２】
また、上記の例では、画像データ自体は加工せずにプリント処理時のガンマ補正用パラメータ値を付加した画像データをプリンタ５００へ出力するようにしたが、無線タグ３１０から読み出した画像処理パラメータ選択情報に応じて画像データを処理し、それをプリンタ５００へ出力するようにしてもよい。
【０１０３】
また、無線タグシール３００を貼り付ける対象は可搬記録メディア２００に限らず、カメラのストラップやフィルムパッケージなどでもよい。そして、可搬記録メディア２００以外の物に貼り付けられた無線タグシール３００の無線タグ３１０からも、画像処理パラメータ選択情報を読み取ることができるようにタグリーダ部１９１、４７０、６７０を構成してもよい。
【０１０４】
【発明の効果】
以上説明したように、本発明の画像処理装置によれば、イメージセンサで被写体を撮像することにより得られた画像データを可搬記録メディアに記録する際の画像処理を、可搬記録メディアに取り付けられている無線タグに記録されている情報に基づいて、撮影意図などを反映させつつ実施することができる。
【０１０５】
また、可搬記録メディアから読み出された画像データをプリンタへ出力する際の画像処理または画像データに付加するガンマ補正用データの選択を、可搬記録メディアに取り付けられている無線タグに記録されている情報に基づいて、撮影意図などを反映させつつ実施することができる。
【０１０６】
本発明のデジタルカメラによれば、イメージセンサで被写体を撮像することにより得られた画像データを可搬記録メディアに記録する際の画像処理を、可搬記録メディアに取り付けられている無線タグに記録されている情報に基づいて、撮影意図などを反映させつつ実施することができる。
【０１０７】
また、本発明のプリンタによれば、可搬記録メディアから画像データを読み出してプリント処理する際の画像処理を、可搬記録メディアに取り付けられている無線タグに記録されている情報に基づいて、撮影意図などを反映させつつ実施することができる。
【０１０８】
また、本発明の無線タグシールによれば、画像処理パラメータ選択情報が記録されている無線タグを可搬記録メディアなどに容易に取り付けることができる。
【図面の簡単な説明】
【図１】本発明のデジタルカメラの構成例を示すブロック図である。
【図２】タグリーダ部の構成例を示す図であり、（ａ）は概略平面図、（ｂ）は概略側面図である。
【図３】無線タグシールの構成例を示す図であり、（ａ）は平面図、（ｂ）は側断面図である。
【図４】図１のデジタルカメラの動作内容を例示した流れ図である。
【図５】本発明のプリンタの構成例を示すブロック図である。
【図６】図５のプリンタの動作内容を例示した流れ図である。
【図７】図５のプリンタの別の動作内容を例示した流れ図である。
【図８】本発明の画像処理装置をプリンタ操作端末機に適用した場合のシステム構成例を示すブロック図である。
【図９】図８のプリンタ操作端末機の動作内容を例示した流れ図である。
【符号の説明】
１００：デジタルカメラ（画像処理装置）
１０１：記録メディア挿入口
１２０：イメージセンサ
１３０：信号処理部（画像処理部）
１４０：システム制御部（画像処理部）
１６０：記録メディアインタフェース部
１９０：タグリーダ部（タグ情報読出部）
１９１：アンテナ
１９２：送受信回路
２００：可搬記録メディア
３００：無線タグシール
３１０：無線タグ
３２０：シール紙（貼着体）
４００：プリンタ
４１０：記録メディアインタフェース部
４２０：システム制御部（画像処理部）
４４０：プリンタ機構部
４７０：タグリーダ部（タグ情報読出部）
５００：プリンタ
５２０：システム制御部（画像処理部）
５４０：プリンタ機構部
６００：プリンタ操作端末機（画像処理装置）
６１０：記録メディアインタフェース部
６７０：タグリーダ部（タグ情報読出部）
【図１】
2005012687.tif 000003
【図２】
2005012687.tif 000004
【図３】
2005012687.tif 000005
【図４】
2005012687.tif 000006
【図５】
2005012687.tif 000007
【図６】
2005012687.tif 000008
【図７】
2005012687.tif 000009
【図８】
2005012687.tif 000010
【図９】
2005012687.tif 000011